(57)【要約】【課題】 より多くの種類のシャワーフックに対して、ガタツキを生じることなくシャワーヘッドを保持させることができるシャワーホースを提供する。【解決手段】  第１接続部材13の外周面に、第１の種類のシャワーフックに適合して掛止可能な略テーパ面状の第１掛止部24が設けられている。第２接続部材14の外周面に、形状が第１の種類のシャワーフックと異なる第２の種類のシャワーフックに適合して掛止可能な略テーパ面状の第２掛止部34が設けられている。第１接続部材13および第２接続部材14のうちいずれか一方に、略筒状の水栓接続用アダプター15の一端側に設けられた雄ねじ部44がねじ込み可能とされている。【選択図】    図１
2014240552.tif 000002
【特許請求の範囲】
【請求項１】
シャワーホース本体と、シャワーホース本体の一端部に取り付けられた略筒状の第１接続部材と、シャワーホース本体の他端部に取り付けられた略筒状の第２接続部材と、水栓に接続される略筒状の水栓接続用アダプターとを備えており、
第１接続部材および第２接続部材の先端部内には、シャワーヘッドの雄ねじ付き接続口部にねじ合わされる雌ねじ部が設けられており、
第１接続部材の外周面に、第１の種類のシャワーフック群に適合して掛止可能な略テーパ面状の第１掛止部が設けられ、
第２接続部材の外周面に、形状が第１の種類のシャワーフック群と異なる第２の種類のシャワーフック群に適合して掛止可能な略テーパ面状の第２掛止部が設けられており、
第１接続部材および第２接続部材のうちいずれか一方の雌ねじ部に、水栓接続用アダプターの一端側に設けられた雄ねじ部がねじ込み可能とされていることを特徴とするシャワーホース。
【発明の詳細な説明】
【技術分野】
【０００１】
この発明は、シャワーホースに関し、特に、混合水栓などの水栓とシャワーヘッドとを接続するとともに、シャワーヘッドを壁面に設けられたシャワーフックに保持可能とするシャワーホースに関する。
【背景技術】
【０００２】
シャワーホース(51)は、図９に示すように、混合水栓などの水栓(1)とシャワーヘッド(3)とを接続するもので、シャワーホース本体(52)の一端部には、略筒状のシャワーヘッド側接続部材(53)が取り付けられている。
【０００３】
シャワーヘッド側接続部材(53)の外周面は、壁面に設けられたシャワーフック(4)にシャワーヘッド(3)を保持させるために、シャワーフック(4)の内周面形状に対応するテーパ状とされている。シャワーフック(4)の形状は、メーカーによって異なっており、例えば、図１０（ａ）に示すような形状を有するシャワーフック(4A)、図１０（ｂ）に示すような形状を有するシャワーフック(4B)などが使用されている。
【０００４】
例えば、図１０（ａ）に示すシャワーフック(4A)に適合しているシャワーホース(51)を図１０（ｂ）に示すシャワーフック(4B)に取り付けた場合、形状が違うことによりガタツキが生じ、シャワーの勢いで意図しない方向へシャワーヘッド(3)が動き、快適に使用できないという問題があった。
【０００５】
特許文献１には、シャワーホースのシャワーヘッド側接続部材の外周面形状をその上下で傾斜角度が異なるものとすることで、複数種類のシャワーフックに対応可能とすることが提案されている。
【特許文献１】特開平９−３１３３９１号公報
【発明の開示】
【発明が解決しようとする課題】
【０００６】
シャワーフックの形状には、図１０に例示した以外に、種々のものが存在しているが、上記特許文献１のシャワーヘッドでは、本来１つのシャワーフックに掛止されるシャワーヘッド側接続部材をその上下で外周面の傾斜角度を異なるものとすることで対応しているため、シャワーフックの形状によっては、ガタツキが許容できない大きさになるという問題があった。
【０００７】
この発明の目的は、より多くの種類のシャワーフックに対して、ガタツキを生じることなくシャワーヘッドを保持させることができるシャワーホースを提供することにある。
【課題を解決するための手段】
【０００８】
この発明によるシャワーホースは、シャワーホース本体と、シャワーホース本体の一端部に取り付けられた略筒状の第１接続部材と、シャワーホース本体の他端部に取り付けられた略筒状の第２接続部材と、水栓に接続される略筒状の水栓接続用アダプターとを備えており、第１接続部材および第２接続部材の先端部内には、シャワーヘッドの雄ねじ付き接続口部にねじ合わされる雌ねじ部が設けられており、第１接続部材の外周面に、第１の種類のシャワーフック群に適合して掛止可能な略テーパ面状の第１掛止部が設けられ、第２接続部材の外周面に、形状が第１の種類のシャワーフック群と異なる第２の種類のシャワーフック群に適合して掛止可能な略テーパ面状の第２掛止部が設けられており、第１接続部材および第２接続部材のうちいずれか一方の雌ねじ部に、水栓接続用アダプターの一端側に設けられた雄ねじ部がねじ込み可能とされていることを特徴とするものである。
【０００９】
シャワーフックの形状（上下方向の長さ、上端開口の大きさ、下端開口の大きさ、テーパの角度など）については、メーカーによって異なっており、また、同じメーカーのものであっても異なる形状とされていることがある。これら多数種類のシャワーフックは、第１の種類のシャワーフック群と、第２の種類のシャワーフック群とに分類される。そして、第１掛止部の形状が第１の種類のシャワーフック群に対応するように設定され、第２掛止部の形状が第２の種類のシャワーフック群に対応するように設定される。こうして、第１掛止部および第２掛止部は、いずれもが複数種類のシャワーフックに適合して掛止可能な形状（ガタツキを生じることなく嵌まり合う形状）に設定される。
【００１０】
この発明のシャワーホースによると、まず、対象となっているシャワーフックに対して、第１接続部材および第２接続部材のうちのどちらがガタツキなく掛止できるかが確認される。ガタツキがない方の接続部材が決まると、これとは違う方の接続部材に水栓接続用アダプターが取り付けられる。これにより、シャワーホース本体の一端部に水栓接続用アダプターが、シャワーホース本体の他端部にシャワーフックにガタツキなく保持されるシャワーヘッド側接続部材がそれぞれ取り付けられたシャワーホースが得られる。この後、このシャワーホースの水栓接続用アダプターを水栓に取り付けるとともに、シャワーヘッド側接続部材をシャワーヘッドに取り付けることで、取付けが完了する。
【００１１】
第１掛止部は、例えば、第１テーパ面、第２テーパ面および第３テーパ面からなるものとされて、第１テーパ面および第２テーパ面が第１の種類のシャワーフック群のうちの１つのシャワーフックにガタツキを生じることなく嵌まり合う形状とされ、第２テーパ面および第３テーパ面が第１の種類のシャワーフック群のうちの他のシャワーフックにガタツキを生じることなく嵌まり合う形状とされる。また、第２掛止部は、例えば、第１テーパ面および第２テーパ面からなるものとされ、第２テーパ面が第２の種類のシャワーフック群のうちの１つのシャワーフックにガタツキを生じることなく嵌まり合う形状とされ、第１テーパ面および第２テーパ面が第２の種類のシャワーフック群のうちの他のシャワーフックにガタツキを生じることなく嵌まり合う形状とされる。
【００１２】
各接続部材とシャワーフックとがガタツキを生じることなく嵌まり合うには、掛止部がシャワーフックのテーパ面にちょうど合うテーパ面を有していてもよく、掛止部が２段または３段のテーパ面を有していて、一方のテーパ面の一部がシャワーフックの上部に、他方のテーパ面の一部がフックの下部に当接する形状となっていてもよい。
【発明の効果】
【００１３】
この発明のシャワーホースによると、第１接続部材および第２接続部材のいずれにもシャワーヘッドにねじ合わされる雌ねじ部が設けられているので、第１接続部材および第２接続部材のうち、対象となっているシャワーフックに対してガタツキがない方の接続部材をシャワーヘッドと接続することで、ガタツキを防止することができる。そして、シャワーヘッドとは接続しない方の接続部材に水栓接続用アダプターを取り付けることで、水栓との接続を行うことができる。こうして、より多くの種類のシャワーフックに対して、ガタツキを生じることなくシャワーヘッドを保持させることができる。
【図面の簡単な説明】
【００１４】
【図１】図１は、この発明によるシャワーホースの１実施形態を示す正面図である。
【図２】図２は、シャワーホースの第１の使用状態を示す図で，（ａ）は、斜視図、（ｂ）は、（ａ）のｂ−ｂ線に沿う断面図である。
【図３】図３は、シャワーホースの第１の使用状態を示す断面図である。
【図４】図４は、シャワーホースの第２の使用状態を示す図で，（ａ）は、斜視図、（ｂ）は、（ａ）のｂ−ｂ線に沿う断面図である。
【図５】図５は、シャワーホースの第２の使用状態を示す断面図である。
【図６】図６は、シャワーホースの第３の使用状態を示す断面図である。
【図７】図７は、シャワーホースの第４の使用状態を示す断面図である。
【図８】図８は、シャワーホースの第５の使用状態を示す断面図である。
【図９】図９は、従来のシャワーホースの使用状態を示す側面図である。
【図１０】図１０は、現在使用されているシャワーフックの形状の例を示す正面断面図である。
【発明を実施するための最良の形態】
【００１５】
この発明の実施の形態を、以下図面を参照して説明する。
【００１６】
この発明によるシャワーホース(11)は、図１に示すように、シャワーホース本体(12)と、シャワーホース本体(12)の一端部に取り付けられた略筒状の第１接続部材(13)と、シャワーホース本体(12)の他端部に取り付けられた略筒状の第２接続部材(14)と、略筒状の水栓接続用アダプター(15)とを備えている。
【００１７】
シャワーホース(11)は、図２および図３に示すように、第１接続部材(13)がシャワーフック(4A)に保持された第１の使用状態とされることがあり、図４および図５に示すように、第２接続部材(14)がシャワーフック(4B)に保持された第２の使用状態とされることがある。水栓接続用アダプター(15)は、図２および図３に示す使用状態では、第２接続部材(14)に取り付けられて、水栓に取り付けられるシャワーエルボ(2)に接続されており、図４および図５に示す使用状態では、第１接続部材(13)に取り付けられて、シャワーエルボ(2)に接続されている。
【００１８】
第１接続部材(13)は、ナット(21)と、ナット(21)内に挿入されたニップル(22)とを備えている。
【００１９】
ナット(21)の先端部内周には、シャワーヘッド(3)の雄ねじ付き接続口部(3a)にねじ合わされる雌ねじ部(23)が形成されている。
【００２０】
ナット(21)の外周には、先端側の第１テーパ面(24a)、第１テーパ面(24a)の基端側に連なる第２テーパ面(24b)および第２テーパ面(24b)の基端側に連なる第３テーパ面(24c)からなる第１掛止部(24)が形成されている。第２テーパ面(24b)は、第１テーパ面(24a)に比べてテーパ角度が大きく（第１テーパ面(24a)の方が円筒面に近いように）なされており、第３テーパ面(24c)は、テーパ角度０°の円筒面とされている。第１テーパ面(24a)と第２テーパ面(24b)の第１テーパ面(24a)側の端部とには、セレーションが設けられている。
【００２１】
図２および図３から分かるように、第１掛止部(24)は、図１０（ａ）に示したシャワーフック(4A)にガタツキが生じることなく保持させることができる形状とされており、さらに、このシャワーフック(4A)と同一形状ではないが、これに類似した形状を有するいくつかのシャワーフック（シャワーフック群）に対してもガタツキが生じることなく保持させることができる形状とされている。
【００２２】
ニップル(22)は、シャワーホース本体(12)の一端部が嵌められる基端側の小径部(25)と、小径部(25)の先端側に連なり内径が小径部(25)と同じで外径が小径部(25)より大きい大径部(26)とからなる。
【００２３】
ニップル(22)に嵌められたシャワーホース本体(12)の外周面とナット(21)の内周面との間には、かしめ筒(27)が配されており、かしめ筒(27)が圧縮変形させられることで、シャワーホース本体(12)が抜け止めされている。かしめ筒(27)は、ナット(21)の内周面に形成された段差とニップル(22)の小径部(25)と大径部(26)との間の段差とによって受け止められている。
【００２４】
ニップル(22)の大径部(26)には、環状溝(26a)が形成されており、環状溝(26a)内に断面Ｕ形のパッキン(28)が配されている。これにより、ニップル(22)は、流体密が確保された状態で、ナット(21)に対して回転可能とされている。
【００２５】
第２接続部材(14)は、ナット(31)と、ナット(31)内に挿入されたニップル(22)とを備えている。第２接続部材(14)は、第１接続部材(13)に対してナット(31)が異なるものとされている。第２接続部材(14)のナット(31)は、第１接続部材(13)のナット(21)に比べて、長さが短くなされており、その外周には、先端側の第１テーパ面(34a)および第１テーパ面(34a)の基端側に連なる第２テーパ面(34b)からなる第２掛止部(34)が形成されている。第２テーパ面(34b)は、第１テーパ面(34a)に比べてテーパ角度が大きく（第１テーパ面(34a)の方が円筒面に近いように）なされている。ナット(31)の先端部内周には、第１接続部材(13)のナット(21)に設けられているものと同じ形状の雌ねじ部(33)、すなわち、シャワーヘッド(3)の雄ねじ付き接続口部(3a)にねじ合わされる雌ねじ部(33)が形成されている。
【００２６】
図４および図５から分かるように、第２掛止部(34)は、図１０（ｂ）に示すシャワーフック(4B)にガタツキが生じることなく保持させることができる形状とされており、さらに、このシャワーフック(4B)と同一形状ではないが、これに類似した形状を有するいくつかのシャワーフック（シャワーフック群）に対してもガタツキが生じることなく保持させることができる形状とされている。
【００２７】
第２接続部材(14)において、ニップル(22)は、第１接続部材(13)のものと同じ構成とされており、これに伴って、かしめ筒(27)および断面Ｕ形のパッキン(28)も第１接続部材(13)のものと同じ構成とされている。これにより、ニップル(22)は、流体密が確保された状態で、ナット(31)に対して回転可能とされている。
【００２８】
水栓接続用アダプター(15)は、先端側（水栓側）の大径部(41)と、基端側の小径部(42)とを備えている。
【００２９】
大径部(41)の内周には、シャワーエルボ(2)の雄ねじ部(2a)にねじ合わされる雌ねじ部(43)が形成されている。小径部(42)の外周には、第１接続部材(13)のナット(21)に設けられた雌ねじ部(23)および第２接続部材(14)のナット(31)に設けられた雌ねじ部(33)のいずれにもねじ合わせ可能とされた雄ねじ部(44)が形成されている。
【００３０】
水栓接続用アダプター(15)は、大径部(41)と小径部(42)との間にＯリング(45)が配置された状態で、シャワーエルボ(2)に接続される。
【００３１】
上記のシャワーホース(11)は、シャワーホース本体(12)の一端部に第１接続部材(13)が、他端部に第２接続部材(14)が取り付けられた状態とされて、これらとは分離された水栓接続用アダプター(15)とともに使用者に提供される。使用者は、まず、対象となっているシャワーフック(4A)(4B)に対して、シャワーホース(11)を保持させてみて、第１接続部材(13)および第２接続部材(14)のうちのどちらがガタツキなく掛止できるかを確認する。例えば、図１０（ａ）に示すシャワーフック(4A)およびこれに類似した形状を有するものであれば、第１接続部材(13)が選択され、図１０（ｂ）に示すシャワーフック(4B)およびこれに類似した形状を有するものであれば、第２接続部材(14)が選択されることになる。第１接続部材(13)がガタツキがないということであれば、これとは違う方の第２接続部材(14)に水栓接続用アダプター(15)が取り付けられる。これにより、シャワーホース本体(12)の一端部にシャワーフック(4A)にガタツキなく保持されるシャワーヘッド側接続部材(14)が、シャワーホース本体(12)の他端部に水栓接続用アダプター(15)が、それぞれ取り付けられたシャワーホース(11)が得られる。この後、このシャワーホース(11)の水栓接続用アダプター(15)をシャワーエルボ(2)の雄ねじ部(2a)にねじ合わせるとともに、シャワーヘッド側接続部材(14)をシャワーヘッド(3)に取り付けることで、取付けが完了する。
【００３２】
シャワーフックとしては、図１０に例示したシャワーフック(4A)(4B)以外に、多くの異なる形状のものが使用されており、例えば、図６から図８までに示すようなものがある。以下に示すように、第１接続部材(13)は、図６に示すシャワーフック(4C)に対しても、ガタツキを生じることなく、シャワーホース(11)を保持させることができ、第２接続部材(14)は、図７に示すシャワーフック(4D)に対しても、ガタツキを生じることなく、シャワーホース(11)を保持させることができる。また、第１接続部材(13)は、図８に示すシャワーフック(4E)に対しても、ガタツキを生じることなく、シャワーホース(11)を保持させることができる。
【００３３】
図６に示すシャワーフック(4C)は、図１０（ａ）に示したシャワーフック(4A)に比べると、上端開口の径が大きくなっている。また、シャワーフック(4C)の上部にセレーション(5)が設けられている。第１接続部材(13)は、図１０（ａ）に示したシャワーフック(4A)に適合した形状とされており、より詳細には、図２（ｂ）に示すように、第１掛止部(24)のうちの第２テーパ面(24b)および第３テーパ面(24c)がちょうどシャワーフック(4A)に嵌まり合っている。第１テーパ面(24a)は、シャワーフック(4A)よりも上方に露出しており、掛止には機能していない。図１０（ａ）に示したシャワーフック(4A)に対する掛止に機能していない第１テーパ面(24a)は、図６に示すシャワーフック(4C)に対する掛止に機能する形状とされており、これにより、図６に示すように、第１掛止部(24)のうちの第１テーパ面(24a)および第２テーパ面(24b)がシャワーフック(4C)にちょうど嵌まり合うことで、ガタツキが生じないようになっている。
【００３４】
また、図７に示すシャワーフック(4D)は、図１０（ｂ）に示したシャワーフック(4B)に比べると、上端開口の径が大きくなっている。第２接続部材(14)は、図１０（ｂ）に示したシャワーフック(4B)に適合した形状とされており、より詳細には、図４（ｂ）に示すように、第２掛止部(34)のうちの第２テーパ面(34b)がちょうどシャワーフック(4B)に嵌まり合っている。第１テーパ面(34a)は、シャワーフック(4B)よりも上方に露出しており、掛止には機能していない。図１０（ｂ）に示したシャワーフック(4B)に対する掛止に機能していない第１テーパ面(34a)は、図７に示すシャワーフック(4D)に対する掛止に機能する形状とされており、これにより、図７に示すように、第２掛止部(34)のうちの第１テーパ面(34a)および第２テーパ面(24b)がシャワーフック(4D)にちょうど嵌まり合うことで、ガタツキが生じないようになっている。
【００３５】
図８に示すシャワーフック(4E)は、図１０（ａ）に示したシャワーフック(4A)に比べると、内周のテーパ角度が異なっている。したがって、図１０（ａ）に示したシャワーフック(4A)に適合した形状となるテーパ角度とされている第１接続部材(13)の掛止部(24)を図８に示すシャワーフック(4E)に掛止させた場合、隙間が生じる。しかしながら、第１接続部材(13)の掛止部(24)は、第２テーパ面(24b)の一部がシャワーフック(4E)の上端部に当接するとともに、第３テーパ面(24c)の一部がシャワーフック(4E)の下端部に当接する形状とされており、これにより、図８に示すように、上下の中間部分では第１接続部材(13)外周面とシャワーフック(4E)内周面との間に隙間があるものの、ガタツキが生じないようになっている。
【００３６】
こうして、上記シャワーホース(11)によると、第１掛止部(24)の形状と第２掛止部(34)の形状とが異なるものとされるとともに、これらの掛止部(24)(34)が設けられている第１および第２の接続部材(13)(14)のいずれもがシャワーフック(4A)(4B)(4C)(4D)(4E)に適合して掛止可能とされていることで、図１０（ａ）に示すシャワーフック(4A)およびこれに類似した例えば図６および図８に示す形状を有するシャワーフック(4C)(4E)（第１の種類のシャワーフック群）に対しても、図１０（ｂ）に示すシャワーフック(4B)およびこれに類似した例えば図７に示す形状を有するシャワーフック(4D)（形状が第１の種類のシャワーフック群と異なる第２の種類のシャワーフック群）に対しても、ガタツキを生じることなく、シャワーホース(11)を保持させることができる。
【００３７】
上記のシャワーホース(11)では、第１接続部材(13)および第２接続部材(14)は、いずれもが、ニップル(22)とナット(21)(31)との間に断面Ｕ形のパッキン(28)が配されてニップル(22)とナット(21)(31)とが相対回転可能となされている。したがって、第１接続部材(13)および第２接続部材(14)のいずれか一方がシャワーフック(4A)(4B)(4C)(4D)(4E)に固定され、水栓接続用アダプター(15)がシャワーエルボ(2)に固定されたシャワー使用時においては、シャワーホース本体(12)が第１接続部材(13)のナット(21)に対しても、第２接続部材(14)のナット(31)に対しても回転し、シャワーホース本体(12)の捩れを効果的に防止することができる。
【００３８】
なお、上記において、第１接続部材(13)、第２接続部材(14)および水栓接続用アダプター(15)は、いずれも金属製であってもよく、樹脂製であってもよい。
【符号の説明】
【００３９】
(3)     シャワーヘッド
(4A)    第１の種類のシャワーフック群の１例
(4B)    第２の種類のシャワーフック群の１例
(4C)    第１の種類のシャワーフック群の他の例
(4D)    第２の種類のシャワーフック群の他の例
(4E)    第１の種類のシャワーフック群のさらに他の例
(11)    シャワーホース
(12)    シャワーホース本体
(13)    第１接続部材
(14)    第２接続部材
(15)    水栓接続用アダプター
(21)    ナット
(22)    ニップル
(24)    第１掛止部
(31)    ナット
(34)    第２掛止部
(44)    雄ねじ部
【図１】
2014240552.tif 000003
【図２】
2014240552.tif 000004
【図３】
2014240552.tif 000005
【図４】
2014240552.tif 000006
【図５】
2014240552.tif 000007
【図６】
2014240552.tif 000008
【図７】
2014240552.tif 000009
【図８】
2014240552.tif 000010
【図９】
2014240552.tif 000011
【図１０】
2014240552.tif 000012